(57)【要約】【課題】軸を中心として揺動・開閉する蓋を有し、この蓋の内側にはディスク保持部を備えてディスクの記録・再生を行なうディスク装置であって、極めて簡単な構造にてディスク保持部に挿入されたディスクが蓋を閉じると同時にターンテーブルの中心に正しく装着されるようにしたディスク装置の提供。【解決手段】ディスク保持部６の下端にはＬ型レバー１０を揺動可能に軸支すると共に、下端部にはゴム片などの弾性体１３を備えて蓋内面と平行に起立させ、そして蓋１が閉じた際には軸１１を中心に揺動するようにレバー下端部に当接するリブ１４を本体側に突出している。【選択図】　　　　図３
2004118891.tif 000002
【特許請求の範囲】
【請求項１】
ディスクの記録・再生を行うディスク装置であって、装置本体には軸を中心として揺動・開閉する蓋を有し、この蓋の内側にはディスク保持部を備えたディスク装置において、上記ディスク保持部の下端にはＬ型レバーを揺動可能に軸支すると共に、下端部にはゴム片などの弾性体を備えて蓋内面と平行に起立させ、そして蓋が閉じた際には軸を中心として揺動するようにレバー下端部に当接するリブを本体側に突出したことを特徴とするディスク装置。
【請求項２】
上記レバーをＬ型とし、その上端にはディスクが載る支持片を形成した請求項１記載のディスク装置。
【発明の詳細な説明】
【０００１】
【発明の属する技術分野】
本発明はＣＤやＤＶＤ等のディスクを記録・再生するための装置であって、持ち運びが容易な小型ディスク装置に関するものである。
【０００２】
【従来の技術】
図４は従来から一般的に市販されている小型のディスク装置を示しているが、同図に示すごとく正面には開閉出来る蓋１を備え、該蓋１には表示部２を設けている。そして、該表示部２の後方には再生装置３を配設していて、上記蓋１は下端両側に支点７，７を有し、該支点７，７を中心として回動し、開閉出来る構造と成っている。すなわち、蓋１は正面側へ傾斜して開口し、この開口部４よりディスク５を挿入及び排出することが出来る。
【０００３】
そして、図５に示しているように、蓋１の内側には開口部４から挿入したディスク５を保持する為のカンガルーポケット型ディスク保持部６を設けている。又、ディスク保持部６の中央位置にはディスク５を固定する為のクランパー８を設けている。一方、ディスク挿入用開口部４の本体側にはディスク再生装置３を有し、蓋１を取外したディスク再生装置３を図６に示しているように、正面にはディスク５を回転するターンテーブル９が設けられていて、ディスク保持部６に収容されたディスク５は蓋１を閉じると同時に、ディスク保持部６のクランパー８と再生装置３のターンテーブル９によって挟持される。
【０００４】
このように構成したディスク装置は、奥行き寸法が縮小されて装置全体が小型化出来る。又、ディスク５は蓋１を開いた開口部４から挿入されて、ディスク保持部６に収容される為に、ディスク５を載せるトレイ及び該トレイがスライドする為の駆動装置は不要となる。逆に、ディスク５を排出する時も蓋１を開いて開口部４から取り出すことが出来る。そして、ディスク５を蓋内部のディスク保持部６に挿入し、かつ蓋１を閉じるならば、ディスク中央部を除き他の部分は非接触状態となる為に、ディスク５の損傷は発生しない等の利点がある。
【０００５】
ところで、図７（ａ）、（ｂ）に示すように、蓋内部に設けているディスク保持部６にディスク５を挿入し、蓋１を閉じるならば、ディスク再生装置３のターンテーブル９に装着されるが、ターンテーブル中央のハブテーパー部によりディスク５は該ターンテーブル中心に呼び込まれるように成っている。
【０００６】
しかし、上記テーパー部にて呼び込まれる範囲はごく僅かであって、テーパー部以上の位置ズレのまま装着して回転するならば、装置及びディスク５を損傷することになる。すなわち、ディスク装置を構成する各部品の寸法精度や組立て誤差、それにディスクの同心度等により、確実に正しくディスク５をターンテーブル９に装着するには限度がある。
【０００７】
【発明が解決しようとする課題】
このように、従来のディスク装置には上記のごとき問題がある。本発明が解決しようとする課題はこの問題点であり、極めて簡単な構造でもってディスク保持部に挿入されたディスクが蓋を閉じると同時にターンテーブルの中心に正しく装着されるようにしたディスク装置を提供する。
【０００８】
【課題を解決する為の手段】
本発明のディスク装置は、その基本構造が従来と同じであり、正面には開閉蓋を有し、該蓋の内側にはディスク保持部を設けている。ディスク保持部に挿入したディスクは蓋を閉じることでターンテーブルに装着される。そして、本発明ではターンテーブルに正しく位置決めされて装着されるように、ディスク保持部の下端にはディスクを位置決め支持するレバーを設けている。
【０００９】
そして、上記レバーは揺動可能に軸支され、ディスク保持部に挿入されたディスクの位置決めをする方向に弾性力が付勢される弾性体をレバーの下側に取着している。又、レバーに取付けている弾性体の位置と対向した位置に凸状のリブを装置本体側に設け、ディスクを蓋内側のディスク保持部に挿入して蓋を閉じるならば、ディスク中央穴が本体側のターンテーブルに導かれ、蓋内側に設けているクランパーによって挟持されると同時に、レバーがリブに当接してディスクの位置決め支持片が回動してディスクから離れる。以下、本発明に係る実施例を図面に基づいて詳細に説明する。
【００１０】
【実施例】
本発明のディスク装置の全体外観図は前記図３に示しているように、奥行き寸法の小さい小型ディスク装置であり、従来と同じである。図１は本発明のディスク装置の蓋内部を示しているが、該内側にはディスク保持部６を有し、両側には蓋１が開閉する為の支点７，７を突出している。そして、ディスク保持部６の内側下端にはレバー１０が取付けられ、該レバー１０は揺動可能としている。
【００１１】
図２はレバー１０を単独で表わしているが、概略Ｌ型を成して上端には水平に突出する支持片１２を形成し、レバー中央部に軸１１，１１を両側に有し、又ディスク保持部６の下端に設けた軸受に嵌合することで前後方向に揺動可能としている。ディスク保持部６に挿入されたディスク５は、上端の支持片１２に載って位置決めされ、そして下端部には弾性体１３を軸１１より下側に取着している。ディスク保持部６に挿入されるディスクは、その下端がレバーの支持片に載ると共に、外周はディスク保持部の内面にて位置決めされる。
【００１２】
そして図３にディスク装置の縦断面を示しているように、レバー１０に取付けている弾性体１３の位置と対向した位置に凸状のリブ１４を本体側に設け、ディスク５を蓋内側のディスク保持部６に挿入し、蓋１を閉じるならばディスク中央穴が本体側のターンテーブル９に導かれ、蓋内側に設けているクランパー８によって挟持されると同時に、レバー１０の下端部がリブ１４に当接してディスク５が載っている支持片１２が回動し、該ディスク５から離れる。ここで、ディスク保持部の下端部はレバー１０が揺動出来るように、切欠かれた開口と成っている。
【００１３】
図３では蓋１が開いている場合と、蓋１が閉じている場合の断面図を示しているが、蓋１が開いた状態にある時には、上記レバー１０は蓋内面に平行となっている。そして、該レバー１０は概略Ｌ型を成し、レバー１０の下端部にはゴム片等から成る上記弾性体１３が取着されていて、この弾性体１３が蓋内面との間に介在することで、レバー１０は蓋内面と平行となる。
【００１４】
そして、レバー１０の上端に形成した支持片１２にはディスク保持部６に挿入したディスク５を載せることが出来る。ところが、（ｂ）のように蓋１が閉じると、Ｌ型レバー１０の下端部はリブ１４の先端に当たって、該レバー１０は揺動する。すなわち、リブ１４に当ることで、弾性体１３は圧縮される。このように揺動することで支持片１２がディスク下端から離れ、ディスク５はターンテーブル９に正しく装着される。
【００１５】
以上述べたように、本発明のディスク装置は、装置本体に蓋が開閉可能に取付けられ、蓋内側に設けたディスク保持部の下端にはＬ型レバーを揺動自在に取付けたものであり、次のような効果を得ることが出来る。
【００１６】
【発明の効果】
本発明のディスク装置は、ディスクを挿入する保持部を備えた蓋を開閉可能に有し、トレーを持たない為にコンパクト化され、しかもトレーの出し入れ機構が不要となる為に、構造は簡素化される。勿論、製造コストは安くなる。そして、ディスク保持部の下端にはＬ型レバーを揺動可能に取付けていて、該ディスク保持部に挿入されたディスクの下端はレバーの支持片に当たって所定の位置に保持される。
【００１７】
そして、蓋を閉じることで該ディスクはターンテーブルに正しく装着され、同時にレバーは揺動してディスクから離れる。従って、本発明ではディスク保持部とディスク間のクリアランスを十分に設けることが出来、ディスクの変形や同心度が多少悪くても、回転時にディスク保持部に接触することはなく、ディスク及び再生装置の損傷は起きない。
【図面の簡単な説明】
【図１】本発明に係るディスク装置の蓋内側。
【図２】ディスク保持部の下端に揺動可能に取付けられるレバー。
【図３】本発明のディスク装置の縦断面図。
【図４】ディスク装置の外観図。
【図５】従来のディスク装置の蓋内側。
【図６】蓋を取外した再生装置の外観図。
【図７】従来のディスク装置の縦断面図。
【符号の説明】
１　蓋
２　表示部
３　再生装置
４　開口部
５　ディスク
６　ディスク保持部
７　支点
８　クランパー
９　ターンテーブル
１０　レバー
１１　軸
１２　支持片
１３　弾性体
１４　リブ
【図１】
2004118891.tif 000003
【図２】
2004118891.tif 000004
【図３】
2004118891.tif 000005
【図４】
2004118891.tif 000006
【図５】
2004118891.tif 000007
【図６】
2004118891.tif 000008
【図７】
2004118891.tif 000009